(57)【要約】【課題】ジャムの発生を抑制することができる紙葉類処理装置の提供。【解決手段】紙葉類を識別する識別部１７と、識別部１７により識別された紙葉類を一時貯留させる一時貯留部１８と、を備える紙葉類処理装置１０であって、識別部１７と一時貯留部１８とが一直線の直線搬送路２１Ｃで接続されており、紙葉類が識別部１７で識別後に直線搬送路２１Ｃで一時貯留部１８に搬送される。識別部１７から一時貯留部１８に紙葉類が湾曲搬送されることがなくなり、ジャムの発生を抑制することができる。【選択図】図１
2017027198.tif 000002
【特許請求の範囲】
【請求項１】
紙葉類を識別する識別部と、
前記識別部により識別された紙葉類を一時貯留させる一時貯留部と、
を備える紙葉類処理装置であって、
前記識別部と前記一時貯留部とが一直線の直線搬送路で接続されており、
紙葉類が前記識別部で識別後に前記直線搬送路で前記一時貯留部に搬送されることを特徴とする紙葉類処理装置。
【請求項２】
前記識別部と前記一時貯留部とが高さ方向の位置を重ね合わせており、前記直線搬送路が横方向に延在していることを特徴とする請求項１に記載の紙葉類処理装置。
【請求項３】
紙葉類が投入され投入された紙葉類を前記識別部に向けて繰り出す投入部を更に備え、
前記投入部に投入された紙葉類が前記識別部で識別後に前記直線搬送路で前記一時貯留部に搬送されることになり、
前記投入部と前記識別部と前記一時貯留部とが、装置前方から、前記投入部、前記識別部、前記一時貯留部の順に配置されていることを特徴とする請求項１または２に記載の紙葉類処理装置。
【請求項４】
前記紙葉類が紙幣であることを特徴とする請求項１乃至３のいずれか一項に記載の紙葉類処理装置。
【発明の詳細な説明】
【技術分野】
【０００１】
本発明は、紙葉類処理装置に関する。
【背景技術】
【０００２】
従来から、入金部から入金されて識別部によって識別された紙幣等を一時保留部に一時的に保留させて、各種処理が終了した後に、紙幣を一時保留部から収納部等に搬送して収納する紙幣処理装置が知られている（例えば、特許文献１参照。）。
【先行技術文献】
【特許文献】
【０００３】
【特許文献１】特許第５４８５３８８号公報
【発明の概要】
【発明が解決しようとする課題】
【０００４】
しかしながら、特許文献１のような従来の紙幣処理装置は、例えば、装置の前方に入金部が配置され、この入金部の下に一時保留部が配置され、装置の後方に識別部が配置されている。更に、入金部と識別部と一時保留部とは、複数の曲がり部を有する環状搬送路を介して接続されている。
【０００５】
そして、従来の紙幣処理装置では、装置の後方に識別部が配置され、装置の前方に一時保留部が配置され、識別部と一時保留部とが環状搬送路を介して接続されているので、識別部によって識別された紙幣は、環状搬送路を介して、一度装置の後方へ搬送された後に装置の前方に搬送される等、一時保留部に略Ｕ字状に迂回して湾曲搬送される。このため、識別部から一時保留部までの搬送距離が長く、更に、搬送路中に曲がり部や分岐部等を多数通過するので、ジャムが発生する可能性が高い。
【０００６】
したがって、本発明は、ジャムの発生を抑制することができる紙葉類処理装置の提供を目的とする。
【課題を解決するための手段】
【０００７】
上記目的を達成するために、請求項１に係る発明は、紙葉類を識別する識別部と、前記識別部により識別された紙葉類を一時貯留させる一時貯留部と、を備える紙葉類処理装置であって、前記識別部と前記一時貯留部とが一直線の直線搬送路で接続されており、紙葉類が前記識別部で識別後に前記直線搬送路で前記一時貯留部に搬送されることを特徴とする。
【０００８】
請求項２に係る発明は、請求項１に係る発明において、前記識別部と前記一時貯留部とが高さ方向の位置を重ね合わせており、前記直線搬送路が横方向に延在していることを特徴とする。
【０００９】
請求項３に係る発明は、請求項１または２に係る発明において、紙葉類が投入され投入された紙葉類を前記識別部に向けて繰り出す投入部を更に備え、前記投入部に投入された紙葉類が前記識別部で識別後に前記直線搬送路で前記一時貯留部に搬送されることになり、前記投入部と前記識別部と前記一時貯留部とが、装置前方から、前記投入部、前記識別部、前記一時貯留部の順に配置されていることを特徴とする。
【００１０】
請求項４に係る発明は、請求項１乃至３のいずれか一項に係る発明において、前記紙葉類が紙幣であることを特徴とする。
【発明の効果】
【００１１】
請求項１に係る発明によれば、識別部と一時貯留部とが一直線の直線搬送路で接続されており、紙葉類が識別部で識別後に直線搬送路で一時貯留部に搬送されるため、識別部から一時貯留部に紙葉類が湾曲搬送されることがない。したがって、ジャムの発生を抑制することができる。
【００１２】
請求項２に係る発明によれば、高さ方向の位置を重ね合わせた識別部と一時貯留部とを直線搬送路が横方向に延在して接続しているため、装置の高さ方向の長さを短くすることが可能となり、装置全体の小型化を図ることが可能となる。
【００１３】
請求項３に係る発明によれば、投入された紙葉類を識別部に向けて繰り出す投入部と、投入部から繰り出された紙葉類を識別する識別部と、識別部で識別後の紙葉類が直線搬送路で搬送されてくる一時貯留部とが、装置前方から、この順に配置されているため、投入部が、識別部や一時貯留部と上下に積層されることがなく、装置の高さ方向の長さを短くすることが可能となり、装置全体の小型化を図ることが可能となる。
【００１４】
請求項４に係る発明によれば、処理する紙葉類が紙幣であるため、紙幣のジャムの発生を抑制することができる。
【図面の簡単な説明】
【００１５】
【図１】本発明の第１実施形態に係る紙葉類処理装置を概略的に示す側面図である。
【図２】本発明の第１実施形態に係る紙葉類処理装置の下部ユニットを概略的に示す平面図である。
【図３】本発明の第１実施形態に係る紙葉類処理装置を概略的に示す側面図であって、（ａ）は入金処理ルートを太線で、（ｂ）は収納処理ルートを太線で示すものである。
【図４】本発明の第１実施形態に係る紙葉類処理装置を概略的に示す側面図であって、返却処理ルートを太線で示すものである。
【図５】本発明の第１実施形態に係る紙葉類処理装置を概略的に示す側面図であって、（ａ）は整理計数処理の前段ルートを太線で、（ｂ）は整理計数処理の後段ルートを太線で示すものである。
【図６】本発明の第１実施形態に係る紙葉類処理装置を概略的に示す側面図であって、出金処理ルートを太線で示すものである。
【図７】本発明の第１実施形態に係る紙葉類処理装置を概略的に示す側面図であって、（ａ）は出金退避処理の前段ルートを太線で、（ｂ）は出金退避処理の後段ルートを太線で示すものである。
【図８】本発明の第１実施形態に係る紙葉類処理装置を概略的に示す側面図であって、（ａ）は精査処理の往路ルートを太線で、（ｂ）は精査処理の復路ルートを太線で示すものである。
【図９】本発明の第１実施形態に係る紙葉類処理装置を概略的に示す側面図であって、（ａ）はカセット補充処理の前段ルートを太線で、（ｂ）はカセット補充処理の後段ルートを太線で示すものである。
【図１０】本発明の第１実施形態に係る紙葉類処理装置を概略的に示す側面図であって、（ａ）は入金口補充処理の前段ルートを太線で、（ｂ）は入金口補充処理の後段ルートを太線で示すものである。
【図１１】本発明の第１実施形態に係る紙葉類処理装置を概略的に示す側面図であって、（ａ）は回収処理の前段ルートを太線で、（ｂ）は回収処理の後段ルートを太線で示すものである。
【図１２】本発明の第２実施形態に係る紙葉類処理装置を概略的に示す側面図である。
【図１３】本発明の第２実施形態に係る紙葉類処理装置を概略的に示す側面図であって、出金処理ルートを太線で示すものである。
【図１４】本発明の第２実施形態に係る紙葉類処理装置を概略的に示す側面図であって、（ａ）は精査処理の往路処理の前段ルートを太線で、（ｂ）は精査処理の往路処理の後段ルートを太線で示すものである。
【図１５】本発明の第２実施形態に係る紙葉類処理装置を概略的に示す側面図であって、（ａ）は精査処理の復路処理の前段ルートを太線で、（ｂ）は精査処理の復路処理の後段ルートを太線で示すものである。
【図１６】本発明の第２実施形態に係る紙葉類処理装置を概略的に示す側面図であって、（ａ）は回収処理の前段ルートを太線で、（ｂ）は回収処理の後段ルートを太線で示すものである。
【発明を実施するための形態】
【００１６】
本発明の第１実施形態に係る紙葉類処理装置を図１〜図１１を参照して以下に説明する。第１実施形態に係る紙葉類処理装置１０は、紙葉類としての紙幣を処理するものである。勿論、紙幣以外の紙葉類を処理するものであっても良い。紙葉類処理装置１０は、外部から投入された紙幣を内部に収納する入金処理と、内部に収納されている紙幣を外部に取り出し可能に出金する出金処理とが可能な紙幣入出金装置である。なお、以下の説明における「前」は操作者側を、「後」は操作者とは反対側を、「左」は操作者から見て左を、「右」は操作者から見て右を示す。
【００１７】
図１に示すように、紙葉類処理装置１０の前面側の上部には、入金用の紙幣が外部から投入される投入部１１が設けられており、この投入部１１の上方かつ後方に、入金用の紙幣のうち受け入れ不可なリジェクト紙幣が内部から繰り出されるとともに出金用の紙幣が内部から繰り出され、これらを外部に取り出し可能とする払出部１２が設けられている。投入部１１と払出部１２とは、高さ方向の位置を重ね合わせて設けられており、前後方向の位置も重ね合わせて設けられている。紙葉類処理装置１０の上面の払出部１２の後方には操作者の操作入力を受け付けるとともに操作者に対し表示を行うタッチパネル式の操作表示部１４が設けられている。
【００１８】
投入部１１の後方には、紙幣を識別する識別部１７が投入部１１と高さ方向の位置を重ね合わせて設けられており、この識別部１７の後方には、識別部１７により識別された紙幣を一時貯留させる一時貯留部１８が投入部１１および識別部１７と高さ方向の位置を重ね合わせて設けられている。投入部１１の下部と識別部１７の上部とが高さ方向の位置を重ね合わせており、投入部１１の上部と識別部１７の下部とは高さ方向の位置をずらしている。識別部１７の全体と一時貯留部１８の中間部から下部とが高さ方向の位置を重ね合わせており、一時貯留部１８の上部は識別部１７に対し高さ方向の位置をずらしている。一時貯留部１８は、その上部が払出部１２の下部と高さ方向の位置を重ね合わせている。投入部１１と識別部１７と一時貯留部１８とが、装置前方から後方に向けて、投入部１１、識別部１７、一時貯留部１８の順に配置されている。投入部１１と識別部１７とは前後方向の位置を完全にずらしており、識別部１７と一時貯留部１８とは前後方向の位置を完全にずらしている。
【００１９】
投入部１１には、載置板１９が後下がりの姿勢で設けられており、この載置板１９は、投入部１１内で後上がりの方向に上昇し前下がりの方向に下降する。下降状態にある載置板１９上に集積状態の紙幣が外部から載置されることになり、載置板１９上に載置された紙幣は後上がりの方向に集積された状態となる。載置板１９は上昇して集積状態の紙幣を後上がりの方向に搬送し、集積状態の紙幣を集積方向の上端のものから一枚ずつ紙葉類処理装置１０の内部に繰り出す。
【００２０】
投入部１１には、その後端部に、投入部１１から繰り出された紙幣を搬送する入金搬送路２１Ａが接続されている。入金搬送路２１Ａは、投入部１１から後下がりに延出する傾斜送路部２１Ａａと、傾斜送路部２１Ａａの後端から水平後方に延出する水平送路部２１Ａｂとを有している。入金搬送路２１Ａは、水平送路部２１Ａｂの後端部において識別部１７に接続されている。
【００２１】
識別部１７は、入金搬送路２１Ａの水平送路部２１Ａｂと同一直線上に配置されて水平送路部２１Ａｂの後端部から水平後方に延出する内部搬送路２１Ｂを有している。内部搬送路２１Ｂは、水平送路部２１Ａｂから引き続き後方に紙幣を搬送する。識別部１７は、内部搬送路２１Ｂで搬送中の紙幣の真偽、正損、金種、重送、斜行等を識別する。
【００２２】
識別部１７の内部搬送路２１Ｂの後端部からは水平後方に直線搬送路２１Ｃが延出しており、この直線搬送路２１Ｃの後端部が一時貯留部１８に接続されている。直線搬送路２１Ｃは、内部搬送路２１Ｂから引き続き後方に紙幣を搬送する。入金搬送路２１Ａの水平送路部２１Ａｂと内部搬送路２１Ｂと直線搬送路２１Ｃとは同一直線上で一直線に並んでおり、識別部１７と一時貯留部１８とが一直線の直線搬送路２１Ｃで接続されている。例えば、投入部１１に投入された紙幣が、投入部１１から入金搬送路２１Ａで識別部１７に向けて搬送され、識別部１７で識別後に直線搬送路２１Ｃで一時貯留部１８に搬送される。上記のように識別部１７と一時貯留部１８とは高さ方向の位置を重ね合わせており、直線搬送路２１Ｃが横方向、具体的には水平方向に延在して、これらを結んでいる。
【００２３】
一時貯留部１８は、紙幣を一時貯留させるもので、直線搬送路２１Ｃで搬送されてきた紙幣を一枚ずつ取り込んで収納し、収納している紙幣を一枚ずつ直線搬送路２１Ｃに繰り出す。この一時貯留部１８は、紙幣をテープとともにドラムに巻き付けて収納し紙幣をテープとともにドラムから解いて繰り出す巻付収納タイプとなっている。
【００２４】
直線搬送路２１Ｃの中間位置からは出金搬送路２１Ｄが上方に分岐しており、この出金搬送路２１Ｄが払出部１２に接続されている。出金搬送路２１Ｄが分岐することによって、直線搬送路２１Ｃは、出金搬送路２１Ｄの分岐位置から前側の前側送路部２１Ｃａと、出金搬送路２１Ｄの分岐位置から後側の後側送路部２１Ｃｂとに分けられる。前側送路部２１Ｃａと後側送路部２１Ｃｂとの間は紙幣の行き来が可能であり、前側送路部２１Ｃａと出金搬送路２１Ｄとの間は前側送路部２１Ｃａから出金搬送路２１Ｄへの紙幣の搬送が可能であり、後側送路部２１Ｃｂと出金搬送路２１Ｄとの間は後側送路部２１Ｃｂから出金搬送路２１Ｄへの紙幣の搬送が可能である。
【００２５】
出金搬送路２１Ｄは、直線搬送路２１Ｃで搬送されてきた紙幣を払出部１２に搬送するもので、直線搬送路２１Ｃの中間位置から鉛直上方に延出する鉛直送路部２１Ｄａと、鉛直送路部２１Ｄａの上端部から水平前方に延出する水平送路部２１Ｄｂと、水平送路部２１Ｄｂの前端部から鉛直上方に延出する鉛直送路部２１Ｄｃと、鉛直送路部２１Ｄｃの上端部から水平前方に延出して払出部１２に繋がる水平送路部２１Ｄｄとを有している。
【００２６】
ここで、払出部１２は、出金搬送路２１Ｄの水平送路部２１Ｄｄから繰り出された紙幣を前側かつ下側から後側かつ上側に斜めに集積させる。払出部１２に集積された紙幣は、払出部１２から外部に取り出される。出金搬送路２１Ｄは、例えば、一時貯留部１８から直線搬送路２１Ｃに繰り出された紙幣を直線搬送路２１Ｃの途中から上方に分岐搬送して払出部１２に放出する。
【００２７】
投入部１１、払出部１２、操作表示部１４、内部搬送路２１Ｂを含む識別部１７、一時貯留部１８、入金搬送路２１Ａ、直線搬送路２１Ｃおよび出金搬送路２１Ｄは、紙葉類処理装置１０の上部を構成する上部ユニット２５に設けられている。
【００２８】
上部ユニット２５の下側にあって紙葉類処理装置１０の高さ方向の中間部から下部を構成する下部ユニット２６には、前部位置に前方カセット３１が設けられており、前方カセット３１の後方に、上下２段、前後４列の合計８台の収納庫３２が設けられている。８台の収納庫３２のうち、上段の４台は高さ方向の位置を一致させており、下段の４台も高さ方向の位置を一致させている。前方カセット３１の高さは、収納庫３２の２台分の高さと同等であり、前方カセット３１は、上下２段の収納庫３２と高さ方向の位置を重ね合わせている。
【００２９】
入金搬送路２１Ａの水平送路部２１Ａｂの中間位置からは上下搬送路２１Ｅが下方に分岐しており、この上下搬送路２１Ｅが、水平送路部２１Ａｂから鉛直下方に延出して前方カセット３１に接続されている。上下搬送路２１Ｅが分岐することによって、入金搬送路２１Ａの水平送路部２１Ａｂは、上下搬送路２１Ｅの分岐位置から前側の前側構成部２１Ａｂ１と、上下搬送路２１Ｅの分岐位置から後側の後側構成部２１Ａｂ２とに分けられる。前側構成部２１Ａｂ１と後側構成部２１Ａｂ２との間は、前側構成部２１Ａｂ１から後側構成部２１Ａｂ２への紙幣の搬送が可能であり、上下搬送路２１Ｅと後側構成部２１Ａｂ２との間は紙幣の行き来が可能である。上下搬送路２１Ｅは、例えば、一時貯留部１８から直線搬送路２１Ｃに繰り出され識別部１７を通過後の紙幣を識別部１７の直線搬送路２１Ｃとは反対側の入金搬送路２１Ａの途中から下方に分岐搬送して前方カセット３１に収納させる。
【００３０】
前方カセット３１は、紙幣を一枚ずつ取り込んで収納可能であり、収納している紙幣を一枚ずつ繰り出し可能となっている。前方カセット３１は、紙幣を上部から受け入れて水平状態で下から上に集積させて収納するとともに収納している紙幣を上端部のものから繰り出す集積収納タイプとなっている。集積収納タイプの前方カセット３１は、一時貯留部１８および後述する収納庫３２のような巻付収納タイプに比べて紙幣の収納効率が大幅に高い。
【００３１】
上下搬送路２１Ｅの中間位置からは、収納搬送路２１Ｆが後方に分岐している。この収納搬送路２１Ｆは、上下搬送路２１Ｅから水平後方に延出した後、紙葉類処理装置１０の後端部付近で下方に延出して後端上段の収納庫３２に接続されており、この収納庫３２を介して後端の下段の収納庫３２にも接続されている。収納搬送路２１Ｆが分岐することによって、上下搬送路２１Ｅは、収納搬送路２１Ｆの分岐位置から上側の上側送路部２１Ｅａと、収納搬送路２１Ｆの分岐位置から下側の下側送路部２１Ｅｂとに分けられる。
【００３２】
収納搬送路２１Ｆの中間位置からは、複数具体的には３カ所の分岐搬送路２１Ｇ，２１Ｈ，２１Ｉが下方に分岐している。分岐搬送路２１Ｇ，２１Ｈ，２１Ｉは、前側３列の上段の収納庫３２に接続されており、各上段の収納庫３２を介して、それぞれの同列下段の収納庫３２に接続されている。
【００３３】
８台の収納庫３２は、いずれも、紙幣をテープとともにドラムに巻き付けて収納し紙幣をテープとともにドラムから解いて繰り出す巻付収納タイプとなっており、紙幣を計数しながら繰り出す。巻付収納タイプの収納庫３２は、紙幣を受け入れた順番に収納し、収納順とは逆の順番で繰り出すことになる。このため、１台に複数金種の紙幣をランダムに混合して収納する場合であっても、識別部１７の識別結果から収納する各紙幣の金種を把握可能となっており、よって、繰り出す各紙幣の金種を把握可能となっている。
【００３４】
収納搬送路２１Ｆおよび分岐搬送路２１Ｇ，２１Ｈ，２１Ｉは、例えば、一時貯留部１８から直線搬送路２１Ｃに繰り出され識別部１７を通過後の紙幣を上下搬送路２１Ｅの途中から後方に分岐搬送して８台の収納庫３２に選択的に収納させる。８台の収納庫３２は、例えば、８台全部を、それぞれが設定された単一金種の紙幣のみを収納する単金種収納庫に設定したり、そのうちの何台かを、それぞれが設定された単一金種の紙幣のみを収納する単金種収納庫に設定し、残りを、それぞれ複数金種の紙幣を金種混合で収納する金種混合収納庫に設定したりすることができる。
【００３５】
下部ユニット２６には、前方カセット３１と、８台の収納庫３２と、上下搬送路２１Ｅの上側送路部２１Ｅａの下部と、下側送路部２１Ｅｂと、収納搬送路２１Ｆと、分岐搬送路２１Ｇ〜２１Ｉとが設けられている。上下搬送路２１Ｅの上側送路部２１Ｅａの上部は上部ユニット２５に設けられている。
【００３６】
下部ユニット２６は、前方に開口する直方体の箱状の筐体３５と、８台の収納庫３２が設けられて筐体３５内に配置されるユニット本体３６と、筐体３５の前部開口を開閉する蓋体３７とを有している。前方カセット３１は、ユニット本体３６に対し着脱可能に設けられている。
【００３７】
蓋体３７は、図２に実線で示す閉状態での前部の左右方向の一端、具体的には右端の隅位置で鉛直延在する蓋体回転軸４１を中心に回動可能となるよう筐体３５の左右方向一端、具体的には右端の前端縁部に連結されている。つまり、蓋体３７は、筐体３５にヒンジ結合されており、鉛直軸回りに水平に回転移動する。蓋体３７は右開きである。
【００３８】
蓋体３７は、図２に実線で示す閉状態にあるとき、筐体３５の前部開口の全体をその内側に入り込んで閉塞させる。また、蓋体３７は、図２に実線で示す閉状態から図２に二点鎖線で示す開状態になるとき、蓋体回転軸４１を中心に前方かつ右方に回動した後、後方かつ右方に回動して、前部開口の前方範囲から退避する。
【００３９】
ユニット本体３６は、筐体３５の左右の内面に図示略のスライドレールを介して支持されており、水平方向にスライド可能となるように筐体３５に連結されている。ユニット本体３６は、図２に実線で示すように筐体３５内に最も押し込まれた閉状態にあるとき、全体が筐体３５内に配置される。その際に、筐体３５の前端部との間に蓋体３７を入り込ませることが可能なスペースを形成する。また、ユニット本体３６は、筐体３５から引き出されると前部開口から前方に突出し、図２に二点鎖線で示すように筐体３５から最も引き出されると、全体が筐体３５の外に出る。ここで、ユニット本体３６は、蓋体３７が図２に二点鎖線で示す開状態にあるときに限り引き出し可能つまり開作動可能となっている。つまり、ユニット本体３６は、蓋体３７が蓋体回転軸４１を中心に回動して開状態となった後に、筐体３５から前方へ引き出し可能となる。
【００４０】
蓋体３７には、その内部に、紙幣の処理に関連する構成は設けられていない。つまり、蓋体３７は、筐体３５の前部開口を開閉する蓋としてのみ機能する構造物となっている。筐体３５および蓋体３７は、前方カセット３１および８台の収納庫３２の保安性を確保するための金庫として機能する。
【００４１】
次に、第１実施形態に係る紙葉類処理装置１０の作動について各処理別に説明する。
【００４２】
「入金処理」
投入部１１に外部から紙幣が投入されて、操作表示部１４に入金処理開始の操作が入力されると、図３（ａ）に太線で示す入金処理ルートで紙幣を搬送する。つまり、投入部１１が紙幣を一枚ずつ分離して繰り出し、繰り出された紙幣を、入金搬送路２１Ａ、識別部１７の内部搬送路２１Ｂおよび直線搬送路２１Ｃの前側送路部２１Ｃａが搬送する。内部搬送路２１Ｂでの搬送中に、識別部１７が紙幣を識別することになり、識別部１７が受け入れ可能と識別した紙幣を、直線搬送路２１Ｃの前側送路部２１Ｃａから後側送路部２１Ｃｂが一時貯留部１８に搬送し、一時貯留部１８が一時貯留させる（図３（ａ）の太実線参照）。他方、識別部１７が受け入れ不可と識別した紙幣は、直線搬送路２１Ｃの前側送路部２１Ｃａから出金搬送路２１Ｄが払出部１２に搬送する（図３（ａ）の太実線から太破線参照）。
【００４３】
ここで、投入部１１は厚さ方向に集積された状態の紙幣を分離して繰り出すものであるため、繰り出し時に、重送、斜行等の搬送不良を生じる可能性がある。このような搬送不良の紙幣も識別部１７が受け入れ不可と識別して払出部１２に搬送させる。投入部１１に投入された紙幣をすべて一時貯留部１８および払出部１２のいずれかに搬送した状態になると、識別部１７の識別結果から一時貯留部１８に一時貯留させている紙幣の金種別の枚数および総額等の金額情報を操作表示部１４が表示する。払出部１２に搬送された紙幣は、外部に取り出し可能となる。
【００４４】
「収納処理」
入金処理後の金額情報の操作表示部１４の表示後、操作者が操作表示部１４に承認操作を入力すると、図３（ｂ）に太線で示す収納処理ルートで紙幣を搬送する。つまり、一時貯留させていた紙幣を一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２の対応するものに紙幣を振り分ける。振り分けられた紙幣を８台の収納庫３２の対応するものが収納する。
【００４５】
ここで、一時貯留部１８は巻付収納タイプであるため、繰り出し時に、重送、斜行等の搬送不良を生じることが基本的になく、一時貯留部１８が繰り出した紙幣に識別部１７で収納不可と判断されるものは基本的にはない。
【００４６】
「返却処理」
入金処理後の金額情報の操作表示部１４の表示後、操作者が操作表示部１４に返却操作を入力すると、図４に太線で示す返却処理ルートで紙幣を搬送する。つまり、一時貯留させていた紙幣を、一時貯留部１８が繰り出し、直線搬送路２１Ｃの後側送路部２１Ｃｂおよび出金搬送路２１Ｄで払出部１２に搬送する。払出部１２に搬送された紙幣は、外部に取り出し可能となる。
【００４７】
「整理計数処理」
投入部１１に外部から紙幣が投入されて、操作表示部１４に金種の指定が入力され、その後、整理計数処理開始の操作が入力されると、まず、図５（ａ）に太線で示す整理計数処理の前段ルートで紙幣を搬送する。つまり、投入部１１が紙幣を一枚ずつ分離して繰り出し、繰り出された紙幣を、入金搬送路２１Ａ、識別部１７の内部搬送路２１Ｂおよび直線搬送路２１Ｃの前側送路部２１Ｃａが搬送する。内部搬送路２１Ｂでの搬送中に、識別部１７が紙幣を識別することになり、識別部１７が指定金種と識別した紙幣を、直線搬送路２１Ｃの前側送路部２１Ｃａから後側送路部２１Ｃｂが一時貯留部１８に搬送し、一時貯留部１８が一時貯留させる（図５（ａ）の太実線参照）。他方、識別部１７が指定金種以外と識別した紙幣（搬送不良紙幣を含む）は、直線搬送路２１Ｃの前側送路部２１Ｃａから出金搬送路２１Ｄが払出部１２に搬送する（図５（ａ）の太実線から太破線参照）。払出部１２に搬送された紙幣は、外部に取り出し可能となる。
【００４８】
投入部１１に投入された紙幣をすべて一時貯留部１８および払出部１２のいずれかに搬送した状態になると、払出部１２の紙幣が取り出されたことを条件に、図５（ｂ）に太線で示す整理計数処理の後段ルートで紙幣を搬送する。つまり、一時貯留させていた紙幣を一時貯留部１８が繰り出し、直線搬送路２１Ｃの後側送路部２１Ｃｂおよび出金搬送路２１Ｄで払出部１２に搬送する。前段ルートでの識別部１７の識別結果に基づいて、払出部１２に搬送した設定金種の紙幣の金種、枚数および総額等の金額情報を操作表示部１４が表示する。払出部１２に搬送された紙幣は、外部に取り出し可能となる。ここで、前段ルートで識別部１７が指定金種と識別した紙幣のみを一時貯留部１８に一時貯留しているため、後段ルートで一時貯留部１８から払出部１２に搬送された紙幣は、前段ルートでの識別部１７の識別結果に対応するものとなり、後段ルートでは識別部１７で識別しなくても済むことになる。
【００４９】
「出金処理」
操作表示部１４に、出金させる紙幣の金額情報とともに出金処理の選択操作が入力されると、単金種収納庫に設定された収納庫３２から紙幣を出金する場合は、出金対象金種の紙幣が収納された収納庫３２から図６に太線で示す出金処理ルートで紙幣を搬送する。つまり、収納庫３２のうちの対応するものが、収納していた紙幣を計数しつつ繰り出し、繰り出された紙幣を、分岐搬送路２１Ｇ〜２１Ｉの適宜のもの、収納搬送路２１Ｆ、上下搬送路２１Ｅの上側送路部２１Ｅａ、入金搬送路２１Ａの後側構成部２１Ａｂ２、識別部１７の内部搬送路２１Ｂ、直線搬送路２１Ｃの前側送路部２１Ｃａおよび出金搬送路２１Ｄが払出部１２に搬送する。ここで、収納庫３２はすべて巻付収納タイプであるため、繰り出し時に、重送、斜行等の搬送不良を生じることが基本的になく、収納庫３２が繰り出した紙幣に識別部１７で出金不可と判断されるものは基本的にない。払出部１２に搬送された紙幣は、外部に取り出し可能となる。
【００５０】
「出金退避処理」
金種混合収納庫に設定された収納庫３２から紙幣を出金する場合、出金対象金種の紙幣を上記出金処理ルートで搬送し、出金対象以外の紙幣を、図７（ａ）に太線で示す出金退避処理の前段ルートで搬送する。つまり、金種混合収納庫３２から繰り出された出金対象以外の紙幣を、分岐搬送路２１Ｇ〜２１Ｉの対応するもの、収納搬送路２１Ｆ、上下搬送路２１Ｅの上側送路部２１Ｅａ、入金搬送路２１Ａの後側構成部２１Ａｂ２、識別部１７の内部搬送路２１Ｂおよび直線搬送路２１Ｃが一時貯留部１８に搬送し、一時貯留部１８が一時貯留させる。
【００５１】
出金対象の紙幣をすべて払出部１２に搬送すると、次に、図７（ｂ）に太線で示す出金退避処理の後段ルートで紙幣を搬送する。つまり、一時貯留させていた出金対象以外の紙幣を、一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２の対応するものに紙幣を振り分ける。振り分けられた紙幣を８台の収納庫３２の対応するものが収納する。
【００５２】
「精査処理」
操作表示部１４に精査処理の選択操作が入力されると、まず、図８（ａ）に太線で示す精査処理の往路ルートで紙幣を搬送する。つまり、８台の収納庫３２のうちの精査対象の１台が紙幣を繰り出し、繰り出された紙幣を、分岐搬送路２１Ｇ〜２１Ｉの対応するもの、収納搬送路２１Ｆ、上下搬送路２１Ｅの上側送路部２１Ｅａ、入金搬送路２１Ａの後側構成部２１Ａｂ２、識別部１７の内部搬送路２１Ｂおよび直線搬送路２１Ｃが一時貯留部１８に搬送し、一時貯留部１８が一時貯留させる。このようにして、精査対象の１台の収納庫３２のすべての紙幣を、一時貯留部１８に搬送する。
【００５３】
次に、図８（ｂ）に太線で示す精査処理の復路ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２のうちの精査対象の１台に紙幣を搬送し、この収納庫３２が紙幣を収納する。このときの識別部１７の識別結果から、精査対象の収納庫３２に収納された紙幣の枚数情報つまり金額情報を確定する。
【００５４】
上記と同様の処理を、すべての精査対象の収納庫３２のそれぞれに対して行い、すべての精査対象の収納庫３２の個々の金額情報を確定する。
【００５５】
「カセット補充処理」
カセット補充処理を行うにあたって、前方カセット３１には、装置外部で紙幣が収納される。そして、蓋体３７が開かれ、筐体３５からユニット本体３６が引き出されてユニット本体３６にこの前方カセット３１が、それまで取り付けられていた前方カセット３１と交換で取り付けられる。
【００５６】
操作表示部１４にカセット補充処理の選択操作が入力されると、図９（ａ）に太線で示すカセット補充処理の前段ルートで紙幣を搬送する。つまり、前方カセット３１が紙幣を繰り出し、繰り出された紙幣を、上下搬送路２１Ｅ、入金搬送路２１Ａの後側構成部２１Ａｂ２、識別部１７の内部搬送路２１Ｂおよび直線搬送路２１Ｃの前側送路部２１Ｃａが搬送する。内部搬送路２１Ｂでの搬送中に、識別部１７が紙幣を識別することになり、その結果に基づいて、受け入れ可能と識別した紙幣を、直線搬送路２１Ｃの後側送路部２１Ｃｂで一時貯留部１８に搬送し、一時貯留部１８が一時貯留させる（図９（ａ）の太実線参照）。前方カセット３１は集積収納タイプであるため、繰り出した紙幣に、重送、斜行等の搬送不良の可能性があり、このような搬送不良紙幣を含む受け入れ不可と識別した紙幣については、直線搬送路２１Ｃの前側送路部２１Ｃａから出金搬送路２１Ｄが払出部１２に搬送する（図９（ａ）の太実線から太破線参照）。払出部１２に搬送された紙幣は、外部に取り出し可能となる。
【００５７】
ここで、前方カセット３１の収納容量は一時貯留部１８の収納容量よりも大きいため、前方カセット３１が空になる前に、一時貯留部１８が満杯になる場合がある。前方カセット３１が空になるか、あるいは一時貯留部１８が満杯になると、図９（ｂ）に太線で示すカセット補充処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２の対応するものに紙幣を振り分ける。振り分けられた紙幣を８台の収納庫３２の対応するものが収納する。
【００５８】
以上の処理を前方カセット３１が空になるまで適宜繰り返す。このようにして、前方カセット３１に収納された紙幣が、それぞれ８台の収納庫３２の対応するものに振り分けられて収納される。
【００５９】
「入金口補充処理」
操作表示部１４に入金口補充処理の選択操作が入力されると、まず、図１０（ａ）に太線で示す入金口補充処理の前段ルートで紙幣を搬送する。つまり、投入部１１が紙幣を一枚ずつ分離して繰り出し、繰り出された紙幣を、入金搬送路２１Ａ、識別部１７の内部搬送路２１Ｂおよび直線搬送路２１Ｃの前側送路部２１Ｃａが搬送する。内部搬送路２１Ｂでの搬送中に、識別部１７が紙幣を識別することになり、識別部１７が受け入れ可能と識別した紙幣を、直線搬送路２１Ｃの前側送路部２１Ｃａから後側送路部２１Ｃｂが一時貯留部１８に搬送し、一時貯留部１８が一時貯留させる（図１０（ａ）の太実線参照）。他方、識別部１７が受け入れ不可と識別した紙幣（搬送不良紙幣を含む）は、直線搬送路２１Ｃの前側送路部２１Ｃａから出金搬送路２１Ｄが払出部１２に搬送する（図１０（ａ）の太実線から太破線参照）。払出部１２に搬送された紙幣は、外部に取り出し可能となる。
【００６０】
投入部１１に投入された紙幣をすべて一時貯留部１８および払出部１２のいずれかに搬送した状態になると、図１０（ｂ）に太線で示す入金口補充処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、収納搬送路２１Ｆおよび分岐搬送路２１Ｇ〜２１Ｉの適宜のものが８台の収納庫３２の対応するものに紙幣を振り分ける。振り分けられた紙幣を８台の収納庫３２の対応するものが収納する。このようにして、投入部１１に投入された紙幣が、それぞれ８台の収納庫３２の対応するものに振り分けられて収納される。
【００６１】
「回収処理」
操作表示部１４に回収処理の選択操作が入力されると、図１１（ａ）に太線で示す回収処理の前段ルートで紙幣を搬送する。つまり、８台の収納庫３２のうちの回収対象の１台が紙幣を繰り出し、繰り出された紙幣を、分岐搬送路２１Ｇ〜２１Ｉの適宜のもの、収納搬送路２１Ｆ、上下搬送路２１Ｅの上側送路部２１Ｅａ、入金搬送路２１Ａの後側構成部２１Ａｂ２、識別部１７の内部搬送路２１Ｂおよび直線搬送路２１Ｃが一時貯留部１８に搬送し、一時貯留部１８が一時貯留させる。このようにして、回収対象の１台の収納庫３２のすべての紙幣を、一時貯留部１８に搬送する。
【００６２】
次に、図１１（ｂ）に太線で示す回収処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２および上下搬送路２１Ｅが前方カセット３１に搬送し、前方カセット３１が収納する。
【００６３】
このような処理を、収納庫３２の回収が指定されたもの（全部の場合もあり）に対して行う。その後、蓋体３７が開かれ、筐体３５からユニット本体３６が引き出されてユニット本体３６から前方カセット３１が取り外される。
【００６４】
以上に述べた第１実施形態によれば、識別部１７と一時貯留部１８とが一直線の直線搬送路２１Ｃで接続されており、紙幣が識別部１７で識別後に直線搬送路２１Ｃで一時貯留部１８に搬送されるため、識別部１７から一時貯留部１８に紙幣が湾曲搬送されることがない。したがって、ジャムの発生を抑制することができる。更に、紙幣が一時貯留部１８から識別部１７に搬送される際にも、紙幣が直線搬送路２１Ｃで搬送されるため、一時貯留部１８から識別部１７に紙幣が湾曲搬送されることがない。したがって、ジャムの発生を抑制することができる。
【００６５】
また、高さ方向の位置を重ね合わせた識別部１７と一時貯留部１８とを直線搬送路２１Ｃが横方向に延在して接続しているため、紙葉類処理装置１０の高さ方向の長さを短くすることが可能となり、紙葉類処理装置１０の全体の小型化を図ることが可能となる。
【００６６】
また、投入された紙幣を識別部１７に向けて繰り出す投入部１１と、投入部１１から繰り出された紙幣を識別する識別部１７と、識別部１７で識別後の紙幣が直線搬送路２１Ｃで搬送されてくる一時貯留部１８とが、紙葉類処理装置１０の前方から、この順に配置されているため、投入部１１が、識別部１７や一時貯留部１８と上下に積層されることがなく、紙葉類処理装置１０の高さ方向の長さを短くすることが可能となり、紙葉類処理装置１０の全体の小型化を図ることが可能となる。
【００６７】
また、紙葉類処理装置１０は、処理する紙葉類が紙幣であるため、紙幣のジャムの発生を抑制することができる。
【００６８】
なお、収納庫３２を８台設けることに限定されるものではなく、７台以下設けるようにしても良く、９台以上設けるようにしても良い。また、上下２段の収納庫３２，３２を数列設けることに限定されるものではなく、１段の収納庫３２を数列設けるようにしても良い。
【００６９】
本発明の第２実施形態に係る紙葉類処理装置を主に図１２〜図１６を参照して第１実施形態との相違部分を中心に以下に説明する。第２実施形態では、第１実施形態の８台の収納庫３２のうち、後側３列の上下２段の合計６台の収納庫３２にかえて、３台の収納庫５１が設けられている。収納庫５１の高さは、収納庫３２の２台分の高さと同等であり、３台の収納庫５１は、上下２段の収納庫３２と高さ方向の位置を重ね合わせている。
【００７０】
３台の収納庫５１は、いずれも、紙幣を一枚ずつ取り込んで収納可能であり、収納している紙幣を一枚ずつ繰り出し可能となっている。３台の収納庫５１は、いずれも、紙幣を上部から受け入れて水平状態で下から上に集積させて収納するとともに収納している紙幣を上端部のものから繰り出す集積収納タイプとなっている。このため、３台の収納庫５１から紙幣を繰り出す場合に、繰り出した紙幣に、重送、斜行等の搬送不良の可能性があり、第２実施形態では、その場合の搬送ルートが第１実施形態と異なっている。集積収納タイプの収納庫５１は、一時貯留部１８および収納庫３２のような巻付収納タイプに比べて紙幣の収納効率が大幅に高い。３台の収納庫５１は、それぞれの収納容量が同等であり、前方カセット３１とも同等になっている。
【００７１】
第２実施形態では、２台の収納庫３２が金種混合収納庫に設定されており、３台の収納庫５１が単金種収納庫に設定されている。勿論、単金種収納庫および金種混合収納庫の設定は任意で可能であるが、３台の収納庫５１は単金種収納庫に設定するのが好ましい。
【００７２】
次に、第２実施形態に係る紙葉類処理装置１０の作動について各処理別に説明する。
【００７３】
「入金処理」
第１実施形態の図３（ａ）に太線で示す入金処理ルートと同様のルートで、投入部１１に投入された紙幣を識別部１７で識別し、受け入れ可能と識別した紙幣を一時貯留部１８に一時貯留させ（図３（ａ）の太実線参照）、受け入れ不可と識別した紙幣（搬送不良紙幣を含む）を払出部１２に搬送する（図３（ａ）の太実線から太破線参照）。
【００７４】
「収納処理」
第１実施形態の図３（ｂ）に太線で示す収納処理ルートと同様のルートで、一時貯留部１８に一時貯留させていた紙幣を識別部１７で識別し、その結果に基づいて、上下２台の収納庫３２および３台の収納庫５１の対応するものに収納させる。
【００７５】
「返却処理」
第１実施形態の図４に太線で示す返却処理ルートと同様のルートで、一時貯留部１８に一時貯留させていた紙幣を払出部１２に搬送する。
【００７６】
「整理計数処理」
第１実施形態の図５（ａ）に太線で示す整理計数処理の前段ルートと同様のルートで、投入部１１に投入された紙幣を識別部１７で識別し、指定金種と識別した紙幣を一時貯留部１８に一時貯留させ（図５（ａ）の太実線参照）、指定金種以外と識別した紙幣（搬送不良紙幣を含む）を払出部１２に搬送する（図５（ａ）の太実線から太破線参照）。次に、第１実施形態の図５（ｂ）に太線で示す整理計数処理の後段ルートと同様のルートで、一時貯留部１８に一時貯留させていた紙幣を払出部１２に搬送し、前段ルートで一時貯留部１８に一時貯留させた紙幣についての識別部１７の識別結果を操作表示部１４に表示させる。
【００７７】
「出金処理」
操作表示部１４に、出金させる紙幣の金額情報とともに出金処理の選択操作が入力されると、２台の収納庫３２および３台の収納庫５１のうちの出金対象金種の紙幣が収納されているものから図１３に太線で示す出金処理ルートで紙幣を搬送する。つまり、２台の収納庫３２および３台の収納庫５１の対応するものが収納していた紙幣を繰り出し、繰り出された紙幣を、分岐搬送路２１Ｇ〜２１Ｉの適宜のもの、収納搬送路２１Ｆ、上下搬送路２１Ｅの上側送路部２１Ｅａ、入金搬送路２１Ａの後側構成部２１Ａｂ２、識別部１７の内部搬送路２１Ｂ、直線搬送路２１Ｃの前側送路部２１Ｃａが搬送する。内部搬送路２１Ｂでの搬送中に識別部１７が識別し、識別部１７で出金可能と判断された紙幣を、出金搬送路２１Ｄが払出部１２に搬送する（図１３の太実線参照）。
【００７８】
ここで、３台の収納庫５１は集積収納タイプであるため、繰り出し時に、重送、斜行等の搬送不良を生じる可能性があり、このような搬送不良紙幣は、識別部１７で出金不可と判断されて、直線搬送路２１Ｃの後側送路部２１Ｃｂが一時貯留部１８に搬送し、一時貯留部１８が一時貯留させる（図１３の太実線から太破線参照）。また、巻付収納タイプの２台の収納庫３２は金種混合収納庫とされているため、繰り出し時に、出金対象金種以外の紙幣を繰り出すことがあり、このような出金対象金種以外であると識別部１７で識別された紙幣も、直線搬送路２１Ｃの後側送路部２１Ｃｂが一時貯留部１８に搬送し、一時貯留部１８が一時貯留させる（図１３の太実線から太破線参照）。その後、すべての出金対象の紙幣を払出部１２に搬送すると、一時貯留部１８に一時貯留させていた紙幣を識別部１７で識別し、その結果に基づいて、２台の収納庫３２および３台の収納庫５１の対応するものに収納させる。例えば、正常搬送紙幣は、３台の収納庫５１のうちの対応する金種のものに収納する。また、搬送不良紙幣は、金種混合の２台の収納庫３２の適宜のものに収納する。
【００７９】
「精査処理」
巻付収納タイプの上下２台の収納庫３２は、搬送不良紙幣を収納している可能性があるため、精査対象とはしない。単金種収納庫に設定された集積収納タイプの３台の収納庫５１が精査対象となる。収納庫５１のうちの精査対象の収納庫５１から、図１４（ａ）に太線で示す精査処理の往路処理の前段ルートで紙幣を搬送する。つまり、収納庫５１のうちの精査対象の１台が紙幣を繰り出し、繰り出された紙幣を分岐搬送路２１Ｈ，２１Ｉの適宜のもの、収納搬送路２１Ｆ、上下搬送路２１Ｅの上側送路部２１Ｅａ、入金搬送路２１Ａの後側構成部２１Ａｂ２、識別部１７の内部搬送路２１Ｂおよび直線搬送路２１Ｃが一時貯留部１８に搬送し、一時貯留部１８が一時貯留させる。このとき、集積収納タイプの収納庫５１から繰り出されることによって搬送不良紙幣となる紙幣もあるが、このような搬送不良紙幣もそのまま一時貯留部１８に一時貯留させる。
【００８０】
精査対象の収納庫５１が空になるか、一時貯留部１８が満杯になると、図１４（ｂ）に太線で示す精査処理の往路処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２および上下搬送路２１Ｅの上側送路部２１Ｅａが搬送する。内部搬送路２１Ｂでの搬送中に、識別部１７が紙幣を識別することになり、精査対象の金種の紙幣を上下搬送路２１Ｅの下側送路部２１Ｅｂが前方カセット３１に搬送し、前方カセット３１が収納する（図１４（ｂ）の太実線参照）。精査対象以外の金種の紙幣（搬送不良紙幣を含む）を、収納搬送路２１Ｆおよび分岐搬送路２１Ｇが金種混合収納庫に設定された収納庫３２に搬送し、この収納庫３２が収納する（図１４（ｂ）の太実線から太破線参照）。
【００８１】
以上の精査処理の往路処理を精査対象の収納庫５１が空になるまで適宜繰り返す。
【００８２】
次に、図１５（ａ）に太線で示す精査処理の復路処理の前段ルートで紙幣を搬送する。つまり、前方カセット３１が紙幣を繰り出し、繰り出された紙幣を、上下搬送路２１Ｅ、入金搬送路２１Ａの後側構成部２１Ａｂ２、識別部１７の内部搬送路２１Ｂおよび直線搬送路２１Ｃが一時貯留部１８に搬送し、一時貯留部１８が一時貯留させる。このとき、集積収納タイプの前方カセット３１から繰り出されることによって搬送不良紙幣となる紙幣もあるが、このような搬送不良紙幣もそのまま一時貯留部１８に一時貯留させる。
【００８３】
前方カセット３１が空になるか、一時貯留部１８が満杯になると、図１５（ｂ）に太線で示す精査処理の復路処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２、上下搬送路２１Ｅの上側送路部２１Ｅａおよび収納搬送路２１Ｆが搬送する。内部搬送路２１Ｂでの搬送中に、識別部１７が紙幣を識別することになり、その結果に基づいて、精査対象の紙幣を、収納搬送路２１Ｆおよび分岐搬送路２１Ｈ，２１Ｉの適宜のものが３台の収納庫５１のうちの精査対象の１台に搬送し、この収納庫５１が収納する（図１５（ｂ）の太実線参照）。精査対象以外の金種の紙幣（搬送不良紙幣を含む）を、収納搬送路２１Ｆおよび分岐搬送路２１Ｇが金種混合収納庫に設定された収納庫３２に搬送し、この収納庫３２が収納する（図１５（ｂ）の太実線から太破線参照）。
【００８４】
以上の精査処理の復路処理を前方カセット３１が空になるまで適宜繰り返す。そして、精査処理の復路処理時の後段ルートでの識別部１７の識別結果から、精査対象の収納庫５１へ収納した紙幣の枚数情報つまり金額情報を確定する。
【００８５】
上記と同様の処理を、すべての精査対象の収納庫５１のそれぞれに対して行い、すべての精査対象の収納庫５１の個々の金額情報を確定する。
【００８６】
「カセット補充処理」
第１実施形態の図９（ａ）に太線で示すカセット補充処理の前段ルートと同様のルートで、前方カセット３１から繰り出された紙幣を識別部１７で識別し、その結果に基づいて、受け入れ可能と識別した紙幣を一時貯留部１８に一時貯留させる（図９（ａ）の太実線参照）一方、識別部１７で受け入れ不可と識別した紙幣を払出部１２に搬送する（図９（ａ）の太実線から太破線参照）。
【００８７】
前方カセット３１が空になるか、あるいは一時貯留部１８が満杯になると、第１実施形態の図９（ｂ）に太線で示すカセット補充処理の後段ルートと同様のルートで紙幣を搬送する。つまり、一時貯留部１８に一時貯留させていた紙幣を識別部１７で識別し、その結果に基づいて、単金種収納庫に設定された３台の収納庫５１の対応するものに紙幣を振り分ける。以上の処理を前方カセット３１が空になるまで適宜繰り返す。
【００８８】
「入金口補充処理」
第１実施形態の図１０（ａ）に太線で示す入金口補充処理の前段ルートと同様のルートで、投入部１１に投入された紙幣を識別部１７で識別し、識別部１７が受け入れ可能と識別した紙幣を一時貯留部１８に一時貯留させる（図１０（ａ）の太実線参照）一方、識別部１７が受け入れ不可と識別した紙幣を払出部１２に搬送する（図１０（ａ）の太実線から太破線参照）。
【００８９】
次に、第１実施形態の図１０（ｂ）に太線で示す入金口補充処理の後段ルートと同様のルートで、一時貯留部１８に一時貯留されていた紙幣を識別部１７で識別し、その結果に基づいて、２台の収納庫３２および３台の収納庫５１の対応するものに紙幣を振り分ける。
【００９０】
「回収処理」
図１６（ａ）に太線で示す回収処理の前段ルートで紙幣を搬送する。つまり、単金種収納庫に設定された３台の収納庫５１のうちの回収対象の１台が紙幣を繰り出し、繰り出された紙幣を第１実施形態と同様のルートで搬送して、一時貯留部１８に一時貯留させる。このとき、集積収納タイプの収納庫５１から繰り出されることによって搬送不良紙幣となる紙幣もあるが、このような搬送不良紙幣もそのまま一時貯留部１８に一時貯留させる。
【００９１】
回収対象の収納庫５１が空になるか、一時貯留部１８が満杯になると、図１６（ｂ）に太線で示す回収処理の後段ルートで紙幣を搬送する。つまり、一時貯留させていた紙幣を、一時貯留部１８が繰り出し、直線搬送路２１Ｃ、識別部１７の内部搬送路２１Ｂ、入金搬送路２１Ａの後側構成部２１Ａｂ２および上下搬送路２１Ｅの上側送路部２１Ｅａが搬送する。内部搬送路２１Ｂでの搬送中に、識別部１７が紙幣を識別することになり、その結果に基づいて、回収対象の紙幣を、上下搬送路２１Ｅの下側送路部２１Ｅｂが前方カセット３１に搬送し、前方カセット３１が収納する（図１６（ｂ）の太実線参照）。回収対象以外の紙幣（搬送不良紙幣を含む）を、収納搬送路２１Ｆおよび分岐搬送路２１Ｇが金種混合収納庫に設定された収納庫３２に搬送し、この収納庫３２が収納する（図１６（ｂ）の太実線から太破線参照）。
【００９２】
以上の処理を回収対象の収納庫５１が空になるまで適宜繰り返す。その後、蓋体３７が開かれ、筐体３５からユニット本体３６が引き出されてユニット本体３６から前方カセット３１が取り外される。複数台の収納庫５１の合計の紙幣量によっては、これら収納庫５１の紙幣を一度に前方カセット３１に収納して回収することも可能である。
【００９３】
また、金種混合収納庫に設定された収納庫３２に収納された紙幣は、後に、出金処理と同様のルートで払出部１２に搬送されて取り出される。
【００９４】
なお、収納庫５１を３台設けることに限定されるものではなく、２台以下設けるようにしても良く、４台以上設けるようにしても良い。また、上下２段の収納庫３２，３２を１列設けることに限定されるものではなく、２列以上設けるようにしても良い。更に、上下２段の収納庫３２，３２を１列又は数列設けることに限定されるものではなく、１段の収納庫３２を１列又は数列設けるようにしても良い。
【符号の説明】
【００９５】
１０  紙葉類処理装置
１１  投入部
１７  識別部
１８  一時貯留部
２１Ｃ  直線搬送路
【図１】
2017027198.tif 000003
【図２】
2017027198.tif 000004
【図３】
2017027198.tif 000005
【図４】
2017027198.tif 000006
【図５】
2017027198.tif 000007
【図６】
2017027198.tif 000008
【図７】
2017027198.tif 000009
【図８】
2017027198.tif 000010
【図９】
2017027198.tif 000011
【図１０】
2017027198.tif 000012
【図１１】
2017027198.tif 000013
【図１２】
2017027198.tif 000014
【図１３】
2017027198.tif 000015
【図１４】
2017027198.tif 000016
【図１５】
2017027198.tif 000017
【図１６】
2017027198.tif 000018